(57)【要約】【課題】  少ない器材で背もたれの微妙な角度調節を行うことができ、着座中における高い利便性や優れたリラックス感を得ることができる座椅子を提供する。【解決手段】    座部２、背もたれ３、肘掛４および座部２底面に装着された回転支持台５とを備える座椅子１であって、該座椅子１の座部２と背もたれ３とを、７段以上の角度調節可能なラチェット金具で連結した。前記ラチェット金具が、回動金具２０のラチェット２２及び逆転防止爪３０が固定金具１０のハウジング１２に軸支され、逆転防止爪３０の爪片３１が複数のラチェット歯２３に順送りされることにより、回動金具２０の正回転が許容されるとともに、爪片３１がラチェット歯２３に係合することにより、逆回転が規制されるようにした。【選択図】      図１
0003104562.tif 000002
【実用新案登録請求の範囲】
【請求項１】
座部、背もたれ、肘掛および座部底面に装着された回転支持台とを備える座椅子であって、該座椅子の座部と背もたれとを、７段以上の角度調節可能なラチェット金具で連結したことを特徴とする座椅子。
【請求項２】
前記ラチェット金具が、回動金具のラチェット及び逆転防止爪が固定金具のハウジングに軸支され、逆転防止爪の爪片が複数のラチェット歯に順送りされることにより、回動金具の正回転が許容されるとともに、爪片がラチェット歯に係合することにより、逆回転が規制されるようにした請求項１記載の座椅子。
【考案の詳細な説明】
【技術分野】
【０００１】
本考案は、座椅子に関し、特に着座中における高い快適性と優れた利便性を兼ね備え、背もたれを多段階の微妙な角度で調節することができる座椅子に関する。
【背景技術】
【０００２】
従来、背凭部を傾ける場合、着座したままで、容易に傾き角度の調節ができる座椅子がある（例えば特許文献１参照）。上掲特許文献１の座椅子は、座部と、背凭部と、肘掛部と、座部と背凭部との間に両端が軸支され、操作ロッドを押圧したとき、背凭部を傾斜させる外力に従って傾き自在とするガススプリング機構部と、レバー操作部で得た変位量を、支点を中心に回動する運動に変換する操作ロッドに当接させたてこ機構部とを具備し、操作ロッドを押圧により、座部に着座したままで、容易に背凭部の傾きを無段階に調節できることが記載されている。
【特許文献１】特開２００１−１２８７７７号公報（第１−２頁、図１）
【考案の開示】
【考案が解決しようとする課題】
【０００３】
しかしながら、前記座椅子においては、背凭部の傾きを調節するためのガススプリング機構部、操作ロッドまたはレバー操作部等の器材が必要となり、製造コストや本体重量が嵩むという欠点があった。また、背凭部の角度調節も煩雑であるため、使用勝手や利便性が低下するという問題もあった。
【０００４】
そこで、本考案は上記の点に鑑み、少ない器材で背もたれの微妙な角度調節を行うことができ、着座中における高い利便性や優れたリラックス感を得ることができる座椅子を提供することにある。
【課題を解決するための手段】
【０００５】
上記課題を解決するため、本考案の座椅子は、座部、背もたれ、肘掛および座部底面に装着された回転支持台とを備える座椅子であって、該座椅子の座部と背もたれとを、７段以上の角度調節可能なラチェット金具で連結したことを特徴とする。
【０００６】
また、ラチェット金具は、回動金具のラチェット及び逆転防止爪が固定金具のハウジングに軸支され、逆転防止爪の爪片が複数のラチェット歯に順送りされることにより、回動金具の正回転が許容されるとともに、爪片がラチェット歯に係合することにより、逆回転が規制されるようにした。
【考案の効果】
【０００７】
肘掛と回転支持台を具備したことで、着座中におけるやすらぎ感や利便性を高めることができる。また、座部と背もたれとを、７段以上の角度調節可能なラチェット金具で連結したことにより、少ない器材で背もたれの微妙な角度調節ができ、優れたリラックス感を得ることができる。
【考案を実施するための最良の形態】
【０００８】
以下、本考案における座椅子の一実施例を図面を参照にしながら説明する。
図１に示す座椅子１は、座部２、背もたれ３、肘掛４および座部２の底面に装着された回転支持台５とを備えている。座部２、背もたれ３および肘掛４は、形状化された中空状のパイプ６を芯材とし、かかるパイプ６に緩衝材７およびカバー８を被覆することにより形成されている。なお、座部２の両端に一対の肘掛４を設けたことにより、着座中のくつろぎ感が得られると共に、外観的にも豪華さを醸し出すことができる。
【０００９】
座部２の底面に装着された回転支持台５は、着座した状態で座椅子１を容易に方向転換、または回転させることを可能とするものである。回転支持台５は、軽くて薄く強度があり、汎用性のあるものであれば特に限定されることはないが、例えば、特開平８−２９９０９６号開示の回転支持台が好ましい。回転支持台５を設置することにより、着座中の利便性や使用勝手を向上させることができる。
【００１０】
座椅子１の座部２と背もたれ３とは、７段以上の角度調節可能なラチェット金具Ａで連結されている。
【００１１】
ラチェット金具Ａは、図２に示すように、回動金具２０のラチェット２２が、固定金具１０のハウジング１２に回動自在に軸支され、逆転防止爪３０がラチェット２２の複数のラチェット歯２３に対応してハウジング１２に軸支されるとともに、その逆転防止爪３０がその爪片３１、３２をラチェット歯２３に係合させる方向に付勢され、爪片３１、３２が複数のラチェット歯２３に順送りされることにより、回動金具２０の固定金具１０に対する正回転が許容されるとともに、爪片３１、３２がいずれかのラチェット歯２３に係合することにより、逆回転が規制されるようにしたものである。
【００１２】
また、回動金具２０は、固定金具１０に対し９０度の回転範囲内において７段以上の回転位置で逆回転が規制されるように、ラチェット歯２３のピッチが設定され、逆転防止爪３０の爪片３１、３２が、複数のラチェット歯２３のうち、隣合う２つのラチェット歯２３に係合し得る第１及び第２爪片３１、３２により構成される。
【００１３】
さらに、外周縁部に、爪片のラチェット歯２３への係合を許容するための周縁凹部４１と、係合を阻止するための周縁突部４２とが設けられたカム板４０が、ハウジング１２に回動自在に軸支され、回動金具２０が正回転方向へ回転する際の初期位置に配置された状態では、第２爪片３２がカム板４０の周縁凹部４１に配置されて爪片３２がラチェット歯２３に係合されるよう構成される。
【００１４】
さらにまた、正回転方向の回転により回動金具２０が終端位置に配置された際に、回動金具２０がカム板４０を正回転方向に押し込んで、第２爪片３２がカム板４０の周縁凹部４１から周縁突部４２に導かれることにより、爪片３２がラチェット歯２３から離脱して、回動金具２０の逆回転方向への回転が許容されるように構成される。
【００１５】
さらにまた、逆回転方向への回転により回動金具２０が初期位置に戻った際に、回動金具２０がカム板４０を逆回転方向に押し込んで、第２爪片３２がカム板４０の周縁突部４２から周縁凹部４１に導かれることにより、第１及び第２爪片３１、３２が、各爪片の初期係合位置に対応するラチェット歯２３の各歯溝部にそれぞれ挿入されるよう構成されてなる。
【００１６】
さらにまた、回動金具２０が初期位置に配置された状態において、カム板４０における周縁突部４２の周縁凹部４１寄りの端部が、第２爪片３２の初期係合位置に対応するラチェット歯２３の歯溝部内に配置されてなる。
【００１７】
このため、座部２と背もたれ３との間にラチェット金具Ａを連結したことにより、図３に示すように、背もたれ３を７段以上の微妙な角度調節が容易に行うことができ、着座中における所望の角度が設定でき、優れたリラックス感を得ることが可能となる。
なお、ラチェット金具Ａは、実登録第３０９２５９１号に開示された周知の技術である。
【図面の簡単な説明】
【００１８】
【図１】本考案の座椅子の一部を欠切した全体斜視図である。
【図２】ラチェット金具の詳細を示す断面図である。
【図３】背もたれを起伏させた使用状態を示す図である。
【符号の説明】
【００１９】
１  座椅子
２  座部
３  背もたれ
４  肘掛
５  回転支持台
６  パイプ
７  緩衝材
８  カバー
Ａ  ラチェット金具
１０  固定金具
１２  ハウジング
２０  回動金具
２２  ラチェット
２３  ラチェット歯
３０  逆転防止爪
３１  爪片
３２  爪片
４０  カム板
４１  周縁凹部
４２  周縁突部
【図１】
0003104562.tif 000003
【図２】
0003104562.tif 000004
【図３】
0003104562.tif 000005